(57)【要約】【課題】発光素子から放射された光束の取り出し効率の高い照明装置を提供する。【解決手段】複数の半導体発光素子を光源とし、基板と基板表面に実装された前記複数の半導体発光素子を一体に覆う透光性カバー部材を有し、前記半導体発光素子を覆う部分の形状を、前記半導体発光素子を略中心とする半球形状とする。【選択図】  図２
2018147903.tif 000002
【特許請求の範囲】
【請求項１】
複数の半導体発光素子を光源とし、基板と基板表面に実装された前記複数の半導体発光素子を一体に覆う透光性カバー部材を有し、前記透光性カバー部材における前記半導体発光素子を覆う部分の形状を、前記半導体発光素子を略中心とする半球形状としたことを特徴とする照明装置。
【発明の詳細な説明】
【技術分野】
【０００１】
本発明は、半導体発光素子を光源とする照明装置に関する。
【背景技術】
【０００２】
従来の照明装置は、充電部や半導体発光素子（以下、発光素子と称する）の保護のために、発光素子を実装した基板を透光性のカバー部材で覆っている。このカバー部材は、複数並設した発光素子を並設方向に沿って溝状に覆う形状としているものがある。
【０００３】
例えば特許文献１（特開２０１０−２７８２６６号公報）には、基板上に複数並設して実装された発光素子と、基板と複数の発光素子を含めて覆うカバー部材において、並設方向に沿って形成された溝を一体に有する形状が提案されている。これは主に、基板の反りや変形を軽減できるように構成したものである。
【先行技術文献】
【特許文献】
【０００４】
【特許文献１】特開２０１０−２７８２６６号公報
【発明の概要】
【発明が解決しようとする課題】
【０００５】
特許文献１における、透光性のカバー部材を基板上に複数並設した発光素子を並設方向に沿って溝状に覆う形状においては、発光素子から放射された光束のうち溝の長手方向に向かう光束の一部が全反射することで、光束の取り出し効率が悪くなる懸念があった。
【０００６】
本発明の目的は、発光素子から放射された光束の取り出し効率の高い照明装置を提供することにある。
【課題を解決するための手段】
【０００７】
上記目的を達成するために本発明の特徴とするところは、複数の半導体発光素子を光源とし、基板と基板表面に実装された複数の発光素子を一体に覆う透光性カバー部材を有し、透光性カバー部材における発光素子を覆う部分の形状を、発光素子を略中心とする半球形状とした照明装置としたことにある。
【０００８】
または、本発明の特徴とするところは、複数の半導体発光素子を光源とし、基板と基板表面に実装された複数の発光素子を一体に覆う透光性カバー部材を有し、透光性カバー部材における複数の半導体発光素子の各々の発光素子を覆う部分の形状を、各々の発光素子を略中心とする半球形状とした照明装置としたことにある。
【０００９】
または、本発明の特徴とするところは、複数の半導体発光素子を光源とし、基板と基板表面に実装された複数の発光素子を一体に覆う透光性カバー部材を有し、透光性カバー部材における複数の発光素子のうちいくつかの発光素子を一組として覆う部分の形状を、複数の発光素子の発光部中心を略中心とする半球形状とした照明装置としたことにある。
【００１０】
好ましくは、本発明は、透光性カバー部材における前記半球形状部の肉厚が、前記半球形状部の頂点部付近で薄く、赤道部付近で厚くなるように滑らかに変化しているように構成したことにある。
【００１１】
好ましくは、本発明は、透光性カバー部材における隣接する２つ以上の半球形状どうしがぶつかり合って干渉する場合、干渉部分の外縁が前記半球形状の略中心にある発光素子の放射角の外側に位置する構造とする。
【００１２】
好ましくは、本発明は、発光素子を覆う個々の前記半球形状を含む透光性カバー部材の全体形状が、前記透光性カバー部材の中心点に対して点対称である構造とする。
【００１３】
好ましくは、本発明は、前記透光性カバーの一部をリモコン信号の受光部とした構造とする。
【発明の効果】
【００１４】
本発明によれば、発光素子を、各々の発光素子を略中心とする半球形状の透光性カバー部材で覆うことにより、発光素子から出た光束が前記透光性カバー部材の面に対して略法線方向に入射することになり、前記透光性カバー部材を通った光束が外部に出る際の全反射を避けることができるため、光束の取り出し効率を向上させた照明装置を実現することができる。
【００１５】
また、本発明によれば、半球形状を複数形成することにより、透光性カバー部材の剛性が向上するため、基板の反りや変形を軽減し、前記発光素子を前記透光性カバー部材に対して適正な位置に矯正すると共に、放熱板への発光素子実装基板の密着性が向上し、発光素子の発光効率が高い照明装置を実現することができる。
【００１６】
さらに、本発明によれば、透光性カバー部材の全体形状を、前記透光性カバー部材の中心点に対して点対称としたことで、成形時のゆがみが少なく生産性の良いカバーを実現することができる。
【００１７】
また、本発明によれば、前記半球形状部の肉厚が、前記半球形状部の天頂部付近で薄く、赤道部付近で厚くなるように滑らかに変化しているように構成したことにより、配光角が広い照明装置を実現することができる。
【図面の簡単な説明】
【００１８】
【図１】本発明の実施例に係る照明装置の外観図である。
【図２】同上に係る照明装置のセードを外した状態の図である。
【図３】同上に係る照明装置の透光性カバーを外した状態の図である。
【図４】図３に示す、発光素子実装基板の拡大図である。
【図５】本発明の実施例に係る照明装置の発光素子実装基板を外した状態の図である。
【図６】同上に係る照明装置の放熱板を外した状態の図である。
【図７】同上に係る照明装置の分解斜視図である。
【図８】図７に示す、透光性カバーの拡大図である。
【図９】本発明の実施例に係る照明装置の部分断面図である。
【図１０】同上に係る照明装置の部分断面図である。
【図１１】同上に係る照明装置の部分断面図である。
【図１２】同上に係る照明装置の半球形状部の拡大図である。
【図１３】同上に係る照明装置の半球形状部の拡大図である。
【図１４】同上に係る照明装置の半球形状部の拡大図である。
【図１５】同上に係る照明装置の半球形状部の拡大図である。
【図１６】同上に係る照明装置の他の実施例である。
【図１７】同上に係る照明装置の半球形状部の断面図である。
【図１８】同上に係る照明装置の半球形状部の断面図である。
【図１９】同上に係る照明装置の放熱板を外した状態の部分拡大図である。
【図２０】同上に係る照明装置の発光素子実装基板を放熱板に載置した状態で位置決めする方法を説明した図である。
【図２１】同上に係る照明装置の略半球形状部の断面図である。
【図２２】同上に係る照明装置のリモコン受光部の断面図である。
【発明を実施するための形態】
【００１９】
以下、本発明の実施例に係る照明装置の構成を添付の図を用いて説明する。本照明装置は建築物、主に一般家庭の居室の天井面に設置され、建築物に付帯する引掛ローゼットや引掛シーリングなどの屋内配線器具に係合する取付アダプタを介することで外部電源と接続されると共に所定の位置に固定されて使用されるものである。図１は、図示しない天井面に設置された本照明装置を下方から見た外観図である。セード２は、透明または半透明または乳白色の透光性を有する、例えばアクリルやポリスチレンなどの樹脂材料で作られた部品である。これは、主に光源から放射された光束を拡散させて、使用者が照明装置を直視したときの眩しさを軽減したり、照明装置が設置された部屋の中の明るさを均一化する役割を持っている。
【００２０】
次に、図７に照明装置１の分解斜視図を示すと共に、分解レベルに応じた図２〜図６を用いて構造を説明する。図２はセード２を外した状態である。セード２は放熱板３に固定されたセード取付具５によって係合保持されているが、例えばセード２を周方向反時計回りに回転させることによって、セード２に凸設した図示しない係合部が外れるようになっている。セード２を外すと、後述する例えば金属板などで成形された本体ベース９の中央に設けられた器具取付部１４が見えるが、この部分には前述の取付アダプタが有する爪状の引掛け部が係合することで、例えば居室の天井面の所定の位置に固定されるようになっている。また、前記器具取付部１４の近傍には、後述する点灯回路基板１１につながっている給電コネクタ４１が配設されており、前記給電コネクタ４１と前述の取付アダプタに配設されたコネクタとを嵌合接続することにより、建築物の屋内配線からの給電ができるようになっている。
【００２１】
透光性カバー４は、例えばポリカーボネートやアクリル、ポリスチレンなどの透明な樹脂材料で成形された部品で、図３、及び図４に示す発光素子８、発光素子実装基板６、コネクタ７、電源コネクタａ１６、電源コネクタｂ１７、リモコン受光穴１３を一体に覆っており、ねじ止め固定されている。本実施例においては、発光素子実装基板６は４枚に分割されていて、各々の発光素子実装基板６どうしはコネクタ７で電気的に接続されているが、例えば、本照明装置を作動・発光させたときにセード２を通して見える発光面の形状を考慮して設定される発光素子８の配列の仕方や、発光素子実装基板６の原板からの取り数といった生産性を考慮することによって、基板形状やその使用枚数などは任意に設定される得るものであり、本実施例に限定されるものではない。
【００２２】
発光素子実装基板６には発光素子８が半田付けされている。発光素子８は作動時に光を放射すると共に発熱してそれ自体の温度が上昇するが、温度が高くなるにしたがって発光効率が低下するため、温度上昇に見合った適切な放熱手段を設ける必要がある。そのため発光素子実装基板６は、絶縁層を有したアルミ板や熱伝導性の高い樹脂板上に銅箔パターン及びソルダーレジストを形成したものが使われると共に、発光素子８の図示しない端子や、発光素子８の裏面に発光素子実装基板６に密着するように設けられた図示しない放熱パッド等を介した熱伝導によって、発光素子８が発する熱を発光素子実装基板６に伝熱及び放熱するようになっている。さらに、発光素子実装基板６の寸法で決まる放熱面積および熱容量だけでは十分な放熱効果を得ることが困難な場合には、発光素子実装基板６を例えば金属板などで成形された放熱板３に密着固定することで放熱性を確保する必要がある。本実施例では、放熱板３は可能な限り面積を大きく、かつ、熱伝導性の観点から一体で作ることが望ましいことから、図５に示すように、前述のセード取付具５やセード２の外周を取り囲むように配設する図示しない飾り枠の取り付け部３８を含む、プレスで一体成形された金属製の大型部品としている。また、図５〜図７に示すように、放熱板３は本体ベース９に絶縁板１０と共にねじ止め固定された点灯回路基板１１を覆っており、点灯回路回路基板１１は本体ベース９と放熱板３とで囲まれた空間内に収納されている。そのため、放熱板３に載置した発光素子実装基板６は、照明装置１の中央部付近まで面積を広げて発光素子８を配置することが可能であり、照明装置１の発光面中央部の明るさを均一にすることができる。
【００２３】
また、点灯回路基板１１は作動時に発熱を伴うため、本体ベース９と放熱板３とで囲まれた空間の雰囲気温度が上昇する。このとき前記空間の体積が小さいと、放熱板３に取り付けられた発光素子実装基板６からの放熱効果が低下してしまうため、放熱板３は本体ベース９とのねじ止め固定部３９よりも、本体ベース９から離反する方向、すなわち照明装置の天井面への取付状態では下方、に凸の形状として、点灯回路基板１１の収納空間の体積を確保するようにしている。さらに、放熱板３は金属板をプレス成形して製作するため、前記凸形状は、発光素子実装基板６の取付け面と、ねじ止め固定部３９、セード取付け具５、及び飾り枠取り付け部３８を含む面とを、テーパ面４０でつないだ形状としている。テーパ面４０を設けることにより、前記点灯回路基板１１の収納空間の体積及び、放熱板３の面積を大にできるため、発光素子８の発光効率が高く、かつ放熱板３の絞り成形性が良く生産性の良い照明装置を実現することができる。
【００２４】
発光素子実装基板６は放熱板３に透光性カバー４と共に複数のねじで固定されるが、各々の発光素子実装基板６は、最低１つのねじによって透光性カバー４の取付前に放熱板３に直接ねじ止めされる。このねじ止め作業をするにあたっては、図４、図５、図５のＸ部の部分拡大図である図１９（ａ）〜（ｄ）、及び図２０を用いて説明する。まず発光素子実装基板６を放熱板３に設けた基板案内突起２７に合わせて載置するが、前記案内突起２７は、発光素子実装基板６どうしが隣り合った直線部分、すなわち、扇形状の半径方向にあたる直線部分３５のすき間に合うように、断面が台形状３０や半円状３１の押し出し、または切り起こし３２で形成されている。前記押し出し、または切り起こし形状の高さｈは、発光素子実装基板６の厚さよりも小として、後から取付ける透光性カバー４と干渉しないようにしているが、透光性カバー４の当該部分に逃げ形状を設ければこの限りではない。これらの加工方法により、押し出しの場合はせん断部の直線状エッジ３３、切り起こしの場合は切り起こした平面の直線部３４が形成できる。そのため、図１９（ｄ）に例示するように、製作上、Ｒ形状が必要な絞り加工によって位置決め部３６を形成する場合と比較して、ａ部に示すようなＲ部分への発光素子実装基板６の乗り上がりがなく、より正確な位置決めが可能となる。また、前記案内突起２７は、発光素子実装基板６どうしが隣り合った直線部分、すなわち、扇形状の半径方向にあたる直線部分３５のすき間に合うように配設されているため、放熱板３上に載置した発光素子実装基板６を放熱板３の中心方向に寄せることで位置決め作業が完了し、その後のねじ止め作業を円滑に行うことができる。また、放熱板３に対して各々の発光素子実装基板６につき最低１つのねじで直接ねじ止めする作業を行った後には、発光素子実装基板６どうしをつなぐコネクタ７や電源コネクタａ１６、及び電源コネクタｂ１７を接続してから、透光性カバー４をねじ止め固定するが、前記複数のコネクタの配線材の剛性等に起因する発光素子実装基板６の位置ずれがないため、透光性カバー４のねじ止め作業を円滑に行うことができ、生産性を向上させることができる。
【００２５】
本実施例において、発光素子実装基板６には、点灯回路基板１１につながる電源コネクタａ１６、及び電源コネクタｂ１７を有する１枚と、前記２つの電源コネクタを有しない３枚とがある。電源コネクタａ１６は、通常点灯時に作動する発光素子８への電源供給に用い、電源コネクタｂ１７は、保安灯としてのみ作動する発光素子４３への電源供給に用いているが、これらの構成に限定されるものではない。前記２つの電源コネクタからは図示しない配線が放熱板３に設けた配線穴１５を通って点灯回路基板１１に接続されている。図６は放熱板３を外して点灯回路基板１１の設置状態を示した斜視図である。点灯回路基板１１は、例えば難燃性を有するポリプロピレンなどの樹脂材料で成形された絶縁板１０上に載置され、例えば金属板などで成形された本体ベース９にねじ止め固定されると共に、絶縁板１０の外縁に突設された基板係止部ａ２８及び基板係止部ｂ４２でその外縁を保持されている。点灯回路基板１１上にはリモコン受光素子カバー１２に覆われた、リモコン受光素子４５を配設しており、使用者によって操作される図示しないリモコンユニットからの赤外線信号を受信して、信号に応じた点灯制御をするようになっている。また、前記リモコン受光素子カバー１２の筒状になった先端開口部２９は放熱板３に設けたリモコン受光穴１３に臨んでおり、セード２及び、透光性カバー４を通過してきた赤外線リモコン信号が前記リモコン受光素子に到達するようになっている。また、図３、及び図４に示すように、リモコン受光穴１３は、発光素子実装基板６を放熱板３に載置したときに、隣接する発光素子実装基板６の外形のＣ面部４４で挟まれた部分に配置されている。
【００２６】
リモコン受光穴１３の配置については、例えば、発光素子実装基板６の任意の位置に穴を開けてもよいが、発光素子８の基板上の配置に制約が生ずるため、本実施例のように発光素子実装基板６の外に設けるほうが望ましい。また、発光素子実装基板６の外であっても、例えば、放熱板３のテーパ面４０等に受光穴を設けることも可能であるが、その場合は、当該受光穴を覆うカバー部材が別途必要となる。このリモコン受光穴１３は、発光素子８の上面すなわち発光面から、発光素子８の高さと発光素子実装基板６の厚さの和だけ下がった面に開口していて、発光素子８の放射角の外側に位置するため発光素子８からの光束の影響を受けにくく、リモコン信号の受信性能を向上させることができる。
【００２７】
次に、図８に透光性カバー４の外観図を示す。本部品には、半球形状部１８、電源コネクタカバー部１９、コネクタカバー部２０、リモコン受光部２１が形成されている。本実施例では、リモコン受光部２１には、放熱板３に形成されたリモコン受光穴１３に嵌合する筒状の突起を形成しており、透光性カバー４のねじ止め作業時の位置決めを兼ねているが本形状に限定されるものではなく、例えば単なる平面であってもよい。さらに、リモコン受光部２１の形状を半球形状として集光させることができるようにしたり、当該部分の表面に、例えばシボ加工を施して表面での信号の反射を抑えて受信性能をさらに向上させることも可能である。
【００２８】
また、本実施例では、透光性カバー４の平面全体形状は円にしており、部品全体がその中心点２２に対して点対称となるように構成されているが、正偶数角形でも同様の構成とすることができる。本実施例においては、取付作業時には４通りある透光性カバー４の取付方向を気にせずに載置できるため、作業時間を短縮でき、かつ部品の取付方向誤りといった不良要因をなくすことができるほか、点対称形状とすることで成形時のゆがみを少なくすることができ、生産性を向上させることができる。
【００２９】
半球形状部１８は、１つ、または複数の発光素子８を一組として覆っているが、図１０に発光素子８が１つの場合の断面図、図１３にその場合の半球形状部１８の拡大図を示す。本実施例においては、半球形状部１８の中心軸２４は発光部の中心２３ｂと一致するように配設されている。この場合の発光部の中心２３ｂは、発光素子８の中心と一致する。
透光性カバー４の屈折率は空気の屈折率（約１.００）よりも大である一定の屈折率を有するため、発光素子８から放射された光束が半球形状部１８の法線に対して角度θｉで入射すると、半球形状部１８から光束が出るときの角度θｏは臨界角θｃを持つことになるが、この臨界角θｃは透光性カバー４の材質によって異なる。例えば代表値であるがポリカーボネートで１.５９、アクリルで１.４９程度の屈折率を持つため、臨界角θｃは約３９°〜４２°となる。半球形状部１８の略中心に位置する発光素子８から放射された光束は、半球形状部１８に対して略法線方向から入射することになり、θｏが前記臨界角θｃよりも十分小さな値となるため、透光性カバー４と空気との外側界面での全反射による光束の取り出し効率の低下を避けることができる。
【００３０】
次に、図９に発光素子８が２つの場合の断面図、図１２にその場合の半球形状部１８の拡大図を示す。半球形状部１８の中心軸２４は発光部の中心２３ａと一致するように配設されている。本実施例における発光部の中心２３ａとは、２つの発光素子８の中心点を結ぶ直線の２等分点である。２つ以上の複数の発光素子８を一組として半球形状１８で覆う場合は、各々の発光素子８の中心間距離は、半球形状部１８の径に対して十分小であることが望ましいが、半球形状部１８を大きくしていく場合の寸法的制約や一組の発光素子８どうしの中心間距離を小さくしていくと放熱性が低下するといった制約がある。しかしながら、半球形状部１８に覆われた各々の発光素子８から放射された光束の入射角θｉに伴って変化するθｏが前記臨界角θｃを超えないように、前記２つの発光素子８の中心間距離や半球形状部１８の径を適切に設定することで、発光素子８が１つの場合と同様の効果を得ることができる。
【００３１】
また、図１４に３つの発光素子８を一直線上に配設した場合を示す。本実施例における発光部の中心２３ｃは等間隔で配設した３つの発光素子８のうち、中央に位置する発光素子８の中心に一致するという条件の他は、前述の２つの発光素子８を一組とした場合と同様である。さらに、図１５に３つの発光素子８を正三角形の頂点となるように配設した場合を示す。この場合の発光部の中心２３ｄとは前記正三角形の重心である。本実施例によれば、発光素子８を一直線上に配設した場合に比べて、半球形状部１８の径をより小さくすることができる。
【００３２】
以上、１つの半球形状部１８内に１〜３個の発光素子８を配設した場合を例示したが、さらに数を増やす場合でも同様である。すなわち、複数の発光素子８を正多角形の頂点及びその内部に配設し、かつ、その多角形の重心と半球形状部１８の中心軸２４を一致させるように構成すると共に、半球形状１８に覆われた各々の発光素子８から放射された光の入射角θｉに伴って変化するθｏが透光性カバー４の材質によって異なる臨界角θｃを超えないように、前記複数の発光素子８の中心間距離や半球形状部１８の径を適切に設定することで同様の効果を得ることができる。
【００３３】
さらに、図１６に、複数の発光素子８を覆う部分１８ａが、両端に１／４球形状を有する半円筒形状である場合を例示する。本実施例は、一直線上に等間隔で配設された複数の発光素子８を一組として覆う場合であるが、半球形状の場合と同様、発光部の中心２３ｃと発光素子８を覆う部分１８ａの対称軸２５が一致するように構成するものである。しかしながら、円筒形状部３７が長くなるに従って、発光部の中心２３ｃから離れた両端に配設された発光素子８から放射される光束の円筒形状部３７へ入射する角度θｉが大きくなる。そのため、θｏが臨界角θｃを超えて全反射するようになり、光束の取り出し効率が低下することになる。したがって、本実施例においては、半円筒形状部３７が可能な限り短くなるように、複数の発光素子８の中心間距離を短く、かつ、両端の１／４球形状部分の径を大にする等の設定をする必要がある。
【００３４】
また、前記複数の発光素子８を一組として、半球形状部１８や両端に１／４球形状を有する半円筒形状部１８ａで覆った場合、発光色が異なる発光素子８で構成することも可能である。
【００３５】
次に、隣接する複数の半球形状部１８どうしが干渉している場合の断面図を図１７に示す。発光素子８から、発光素子８の特性に係る放射角αをもって放射された光束は、半球形状部１８に入射する。本実施例のように隣接する半球形状部１８どうしが干渉している場合は、半球形状部どうしが干渉する部分の外縁２６が、各々の半球形状部１８の中心軸２４と発光部の中心２３ａとが略一致するように配設された、各々の発光素子８の放射角αの外側に位置するようにすることが望ましい。図１８に、隣接する半球形状部どうしが干渉する部分の外縁２６が、各々の発光素子８の放射角αの内側に位置する場合を例示する。この場合は、発光素子８から放射された光束が、半球形状部１８どうしの干渉形状部分を通過して、隣接する半球形状部１８に大きな角度で入射するため、θｏが臨界角θｃを越えて全反射することにより光束の取出し効率が低下することが考えられる。
【００３６】
図２１（ｂ）に半球形状部１８の断面の他の実施例を示す。本実施例は、半球形状部１８の内側の曲率半径Ｒｉの中心と、外側の曲率半径Ｒｏの中心をずらすことで、半球形状の頂点部付近の肉厚ｔＶよりも赤道部付近の肉厚ｔＥを大とした例である。肉厚が均一である図２１（ａ）の場合に比べて、発光素子８から放射された光束の半球形状部１８の外側界面への入射角θｏが大となるため光束をより広範囲に広げることができるが、この場合はθｏが臨界角θｃよりも小となるようにすることが必要である。図２１（ｃ）は逆に半球形状の頂点部付近の肉厚ｔＶよりも赤道部付近の肉厚ｔＥを小とした例である。ここで、赤道部とは半球形状部１８における切断部付近のことを指すものとする。この場合は、前述とは逆にθｏが小となり光束をより狭い範囲に集めることができる。さらに図２１（ｄ）は内側を半球、外側を放物面あるいは楕円の回転体で作られる面の一部などの３次曲面とした例である。この場合も、頂点付近の肉厚ｔＶと赤道部付近の肉厚ｔＥとの関係によって集光や拡散の制御ができる点において、先に述べた、半球形状部１８の内側の曲率半径Ｒｉの中心と外側の曲率半径Ｒｏの中心をずらすことと同じである。また、内側を放物面あるいは楕円の回転体で作られる面の一部などの３次曲面、外側を半球とした場合も同様である。以上述べたように、半球形状部１８の肉厚を変化させて、半球形状部１８の外側界面への入射角θｏを制御して、照明装置の目的に応じた配光特性を得ることもできる。
【００３７】
次に、本実施例における透光性カバー４の寸法を例示すると、外径φ３９５mm、樹脂の肉厚１.５mm、半球形状部の高さ１２mmである。また、図８に示すように、電源コネクタカバー部１９、コネクタカバー部２０、及び半球形状部１８等が、透光性カバー４の全面に渡って合計１００個あまり形成されている。そのため、透光性カバー４は単なる平坦な形状とした場合よりも高い剛性を持つようになり、発光素子実装基板６の上から透光性カバー４を放熱板３に対してねじ止め固定することにより、発光素子実装基板６の反りや変形を軽減できる。また、発光素子８を透光性カバー８に対して適正な位置に矯正すると共に、放熱板３への発光素子実装基板６の密着性が高くなり放熱性が向上するため、発光面が均一で発光素子８の発光効率が高い照明装置を実現することができる。
【００３８】
以上説明したように、本実施例によれば、発光素子８を、各々の発光素子を略中心とする半球形状の透光性カバー４で覆うことにより、発光素子８ら出た光束が前記透光性カバー４の面に対して略法線方向に入射することになり、透光性カバー４を通って光束が外部に出る際の全反射を避けることができるため、光束の取り出し効率を向上させた照明装置を実現することができる。
【００３９】
また、本実施例によれば、半球形状部１８を複数形成することにより、透光性カバー４の剛性が向上するため、発光素子実装基板６の反りや変形を軽減できる。また、発光素子８を透光性カバー４に対して適正な位置に矯正すると共に、放熱板３への発光素子実装基板６の密着性が高くなり放熱性が向上するため、発光面が均一で発光素子８の発光効率が高い照明装置を実現することができる。
【００４０】
さらに、本実施例によれば、透光性カバー４の全体形状を、前記透光性カバー４の中心点に対して点対称としたことで生産性の良いカバーを実現することができる。
【００４１】
さらに、本実施例によれば、半球形状部１８の肉厚が、半球形状部１８の天頂部付近で薄く、赤道部付近で厚くなるように滑らかに変化しているように構成したことにより、配光角が広い照明装置を実現することができる。
【符号の説明】
【００４２】
１  照明装置
２  セード
３  放熱板
４  透光性カバー
５  セード取付具
６  発光素子実装基板
７  コネクタ
８  半導体発光素子（発光素子）
９  本体ベース
１０  絶縁板
１１  点灯回路基板
１２  リモコン受光素子カバー
１３  リモコン受光穴
１４  器具取付部
１５  配線穴
１６  電源コネクタａ（配線材図示せず）
１７  電源コネクタｂ（配線材図示せず）
１８  半球形状部
１８ａ  両端に１／４球形状を有する半円筒形状部
１９  電源コネクタカバー部
２０  コネクタカバー部
２１  リモコン受光部
２２  中心点
２３ａ、２３ｂ、２３ｃ、２３ｄ  発光部の中心
２４  半球形状の中心軸
２５  対称軸
２６  半球形状部どうしが干渉する部分の外縁
２７  基板案内突起
２８  基板係止部ａ
２９  先端開口部
３０  台形状押し出し
３１  半円状押し出し
３２  切り起こし
３３  押し出しによるせん断部の直線状エッジ
３４  切り起こしによる平面の直線部
３５  発光素子実装基板６の扇形状の半径方向にあたる直線部分
３６  絞り加工による位置決め部
３７  円筒形状部
３８  飾り枠取付部
３９  ねじ止め固定部
４０  テーパ面
４１  給電コネクタ
４２  基板係止部ｂ
４３  発光素子（保安灯用）
４４  Ｃ面部
４５  リモコン受光素子
【図１】
2018147903.tif 000003
【図２】
2018147903.tif 000004
【図３】
2018147903.tif 000005
【図４】
2018147903.tif 000006
【図５】
2018147903.tif 000007
【図６】
2018147903.tif 000008
【図７】
2018147903.tif 000009
【図８】
2018147903.tif 000010
【図９】
2018147903.tif 000011
【図１０】
2018147903.tif 000012
【図１１】
2018147903.tif 000013
【図１２】
2018147903.tif 000014
【図１３】
2018147903.tif 000015
【図１４】
2018147903.tif 000016
【図１５】
2018147903.tif 000017
【図１６】
2018147903.tif 000018
【図１７】
2018147903.tif 000019
【図１８】
2018147903.tif 000020
【図１９】
2018147903.tif 000021
【図２０】
2018147903.tif 000022
【図２１】
2018147903.tif 000023
【図２２】
2018147903.tif 000024